(57)【要約】【課題】新たな環境規制に対応して、冷却、空調、ヒートポンプ及び動力サイクル装置、並びに多くの他の分野において使用するための組成物の提供。【解決手段】４〜３３重量％の１，１，２，２−テトラフルオロエタンと、１０〜９０重量％の１，１−ジフルオロエタンと、６〜５７重量%のＥ−１，３，３，３−テトラフルオロプロペンとを含む組成物。【選択図】なし【特許請求の範囲】
【請求項１】
４〜３３重量％の１，１，２，２−テトラフルオロエタンと、１０〜９０重量％の１，１−ジフルオロエタンと、６〜５７重量%のＥ−１，３，３，３−テトラフルオロプロペンとを含む組成物。
【請求項２】
１ｐｐｍ〜１０００ｐｐｍの少なくとも１つのトレーサー化合物をさらに含む、請求項１に記載の組成物。
【請求項３】
冷却を生じさせる方法であって、冷却する物体の近傍で請求項１に記載の組成物を蒸発させること、及び、その後に前記組成物を凝縮させることを含む方法。
【請求項４】
加熱を生じさせる方法であって、加熱する物体の近傍で請求項１に記載の組成物を凝縮させること、及び、その後に前記組成物を蒸発させることを含み、前記加熱が少なくとも５５℃の温度で作動する熱交換器を含む高温ヒートポンプにおいて生み出される方法。
【請求項５】
前記熱交換機が、超臨界作動流体冷却機及び凝縮機から成る群から選択される、請求項４に記載の方法。
【請求項６】
前記熱交換機が、約７１℃よりも高い温度で動作する、請求項１６に記載の方法。
【請求項７】
前記高温ヒートポンプが、遠心圧縮機を更に含む、請求項１６に記載の方法。
【請求項８】
高温ヒートポンプにおいて加熱を生じさせる方法であって、カスケード構成で配置された少なくとも２つの段階間で熱が交換され、
第１のカスケード段階において、選択されたより低い温度で第１の作動流体中に熱を吸収することと、
この熱を、より高い温度で熱を供給する第２のカスケード段階の第２の作動流体に伝達することと
を含み、
前記第１または第２の作動流体が、請求項１に記載の組成物を含み、
前記高温ヒートポンプは、蒸発機、圧縮機、凝縮機及び膨張装置を含む蒸気圧縮システムであり、前記蒸気圧縮システムにおいて、前記凝縮機は７１℃より高い動作温度を有する、方法。
【請求項９】
高温ヒートポンプ装置における凝縮機の動作温度を上昇させる方法であって、
請求項１に記載の組成物を含む作動流体を前記高温ヒートポンプに充填することを含み、
前記高温ヒートポンプは、蒸発機、圧縮機、凝縮機及び膨張装置を含む蒸気圧縮システムであり、前記蒸気圧縮システムにおいて、前記凝縮機は７１℃より高い温度に上昇させられる動作温度を有する、方法。
【請求項１０】
請求項１に記載の組成物を含む作動流体を収容する高温ヒートポンプ装置であって、高温ヒートポンプは、蒸発機、圧縮機、凝縮機及び膨張装置を含む蒸気圧縮システムであり、前記蒸気圧縮システムにおいて、前記凝縮機は７１℃より高い温度に上昇させられる動作温度を有する、高温ヒートポンプ装置。
【請求項１１】
高温ヒートポンプにおけるＨＦＣ−１３４ａを代替する方法であって、
前記高温ヒートポンプに請求項１に記載の組成物を充填することを含み、
前記高温ヒートポンプが、遠心圧縮機を含み、
前記高温ヒートポンプは、蒸発機、圧縮機、凝縮機及び膨張装置を含む蒸気圧縮システムであり、前記蒸気圧縮システムにおいて、前記凝縮機は７１℃より高い動作温度を有する、方法。
【請求項１２】
熱を機械エネルギーに変換するプロセスであって、請求項１に記載の組成物を含む作動流体を加熱すること、及び、その後に加熱された作動流体を膨張させることを含むプロセス。
【発明の詳細な説明】
【技術分野】
【０００１】
本開示は、冷媒、伝熱組成物、熱力学サイクル（例えば、加熱又は冷却サイクル）作動流体、エアロゾル噴射剤、発泡剤（膨張剤）、溶媒、洗浄剤、分散媒、置換乾燥剤、バフ研磨剤、重合媒体、ポリオレフィン及びポリウレタン用の発泡剤、ガス誘電体、動力サイクル作動流体、消火剤、並びに液体又は気体の形態の火災抑制剤として有用であり得る組成物の分野に関する。
【背景技術】
【０００２】
新たな環境規制により、冷却、空調、ヒートポンプ及び動力サイクル装置、並びに多くの他の分野において使用するための新たな組成物が必要とされている。地球温暖化係数の低い化合物が特に注目されている。
【発明の概要】
【課題を解決するための手段】
【０００３】
出願人らは、１，１，２，２−テトラフルオロエタンなどの特定の温暖化係数の低い化合物の調製において、特定の追加の化合物が存在することを見出した。
【０００４】
したがって、本発明によれば、１，１，２，２−テトラフルオロエタンと、１，１−ジフルオロエタン、１，２−ジフルオロエタン、１，１，１−トリフルオロエタン、ジフルオロメタン、オクタフルオロシクロブタン、１，１，１，２，３，４，４，４−オクタフルオロ−２−ブテン、１，１，１，２，３，３，３−ヘプタフルオロプロパン、１，１，３，３，３−ペンタフルオロプロペン、１，１，１，２，２−ペンタフルオロプロパン、１，２，３，３，３−ペンタフルオロプロペン、ペンタフルオロエタン、クロロジフルオロメタン、２−クロロ−１，１，１，２−テトラフルオロエタン、１−クロロ−１，１，２，２−テトラフルオロエタン、塩化メチル、クロロフルオロメタン、１，２−ジクロロ−１，１，２，２−テトラフルオロエタン、１，１−ジクロロ−１，２，２，２−テトラフルオロエタン、１，１−ジフルオロエチレン、１，１，２−トリフルオロエチレン及びプロパン並びにこれらの組合せから成る群から選択される少なくとも１つの追加の化合物とを含む組成物が提供される。上記の組成物は、組成物の総重量に基づいて、約１重量％未満の少なくとも１つの追加の化合物を含有し得る。
【０００５】
これら組成物は、冷媒、伝熱組成物、熱力学サイクル（例えば、加熱又は冷却サイクル）作動流体、エアロゾル噴射剤、発泡剤（膨張剤）、溶媒、洗浄剤、分散媒、置換乾燥剤、バフ研磨剤、重合媒体、ポリオレフィン及びポリウレタン用の発泡剤、ガス誘電体、動力サイクル作動流体、消火剤並びに液体又は気体の形態の火災抑制剤として有用である。
【０００６】
これら組成物は多くの用途において有用であり得るが、１，１，２，２−テトラフルオロエタンを含む組成物は、冷却機、高温ヒートポンプ、及び有機ランキンサイクルを含む動力サイクルにおいて特に有用である。
【図面の簡単な説明】
【０００７】
【図１】高温ヒートポンプ条件についての、ＨＦＣ−１３４及びＨＦＣ−１５２ａのブレンドの凝縮機圧力（Ｐｃｏｎｄ）対当該ブレンドにおけるＨＦＣ−１５２ａの質量分率のプロットである。
【図２】高温ヒートポンプ条件についての、ＨＦＣ−１３４及びＨＦＣ−１５２ａのブレンドの性能係数（ＣＯＰｈ）対当該ブレンドにおけるＨＦＣ−１５２ａの質量分率のプロットである。
【図３】高温ヒートポンプ条件についての、ＨＦＣ−１３４及びＨＦＣ−１５２ａのブレンドの容積加熱容量（ＣＡＰｈ）対当該ブレンドにおけるＨＦＣ−１５２ａの質量分率のプロットである。
【図４】冷却機条件についての、ＨＦＣ−１３４及びＨＦＣ−１５２ａのブレンドの性能係数（ＣＯＰｃ）対当該ブレンドにおけるＨＦＣ−１５２ａの質量分率のプロットである。
【図５】冷却機条件についての、ＨＦＣ−１３４及びＨＦＣ−１５２ａのブレンドの容積冷却容量（ＣＡＰｃ）対当該ブレンドにおけるＨＦＣ−１５２ａの質量分率のプロットである。
【発明を実施するための形態】
【０００８】
組成物
１，１，２，２−テトラフルオロエタン（ＨＦＣ−１３４、ＣＨＦ2ＣＨＦ2）は、数ある用途の中でも、冷媒、伝熱流体、泡膨張剤、動力サイクル作動流体としての用途が示唆されている。また、有利なことに、ＨＦＣ−１３４は、ＩＰＣＣ  Ｆｏｕｒｔｈ  Ａｓｓｅｓｓｍｅｎｔ  Ｒｅｐｏｒｔに報告されているとおり、ＨＦＣ−１３４ａ（１，１，１，２−テトラフルオロエタン）よりも低い地球温暖化係数（ＧＷＰ）を有することが見出されており、ＨＦＣ−１３４ａの１４３０に対してＨＦＣ−１３４のＧＷＰは１１００である。したがって、ＨＦＣ−１３４は、ＧＷＰのより高い飽和ＣＦＣ（クロロフルオロカーボン）、ＨＣＦＣ（ヒドロクロロフルオロカーボン）又はＨＦＣ（ヒドロフルオロカーボン）冷媒の一部を代替するための候補を提供する。
【０００９】
ＨＦＣ−１３４は、１，２−ジクロロ−１，１，２，２−テトラフルオロエタン（すなわち、ＣＣｌＦ2ＣＣｌＦ2又はＣＦＣ−１１４）の１，１，２，２−テトラフルオロエタンへの水素化脱塩化水素によって調製することができる。
【００１０】
あるいは、ＨＦＣ−１３４は、テトラフルオロエチレン（ＴＦＥ）の接触水素化によって調製することもでき、触媒は、特にパラジウム及び白金が挙げられるがこれらに限定されない、所望の生成物の生成において有用である任意のものであってよい。
【００１１】
一実施形態では、本開示は、ＨＦＣ−１３４と、ヒドロフルオロカーボン、ヒドロクロロフルオロカーボン、クロロフルオロカーボン、ペルフルオロカーボン、ペルフルオロオレフィン、ヒドロフルオロオレフィン、ヒドロクロロフルオロオレフィン、ヒドロクロロカーボン、ヒドロカーボン及びこれらの組合せから成る群から選択される少なくとも１つの化合物とを含む組成物を提供する。
【００１２】
一実施形態では、本開示は、ＨＦＣ−１３４と、１，１−ジフルオロエタン（ＨＦＣ−１５２ａ）、１，２−ジフルオロエタン（ＨＦＣ−１５２）、１，１，１−トリフルオロエタン（ＨＦＣ−１４３ａ）、ジフルオロメタン（ＨＦＣ−３２）、オクタフルオロシクロブタン（ＦＣ−Ｃ３１８）、１，１，１，２，３，４，４，４−オクタフルオロ−２−ブテン（ＦＯ−１３１８ｍｙ）、１，１，１，２，３，３，３−ヘプタフルオロプロパン（ＨＦＣ−２２７ｅａ）、１，１，３，３，３−ペンタフルオロプロペン（ＨＦＯ−１２２５ｚｃ）、１，１，１，２，２−ペンタフルオロプロパン（ＨＦＣ−２４５ｃｂ）、１，２，３，３，３−ペンタフルオロプロペン（ＨＦＯ−１２２５ｙｅ）、ペンタフルオロエタン（ＨＦＣ−１２５）、クロロジフルオロメタン（ＨＣＦＣ−２２）、２−クロロ−１，１，１，２−テトラフルオロエタン（ＨＣＦＣ−１２４）、１−クロロ−１，１，２，２−テトラフルオロエタン、（ＨＣＦＣ−１２４ａ）、塩化メチル（ＨＣＣ−４０）、クロロフルオロメタン（ＨＣＦＣ−３１）、１，２−ジクロロ−１，１，２，２−テトラフルオロエタン（ＣＦＣ−１１４）、１，１−ジクロロ−１，２，２，２−テトラフルオロエタン（ＣＦＣ−１１４ａ）、ジフルオロエチレン、１，１，２−トリフルオロエチレン（ＨＦＯ−１１２３）、プロパン、及びこれらの組合せから成る群から選択される少なくとも１つの追加の化合物とを含む組成物を提供する。
【００１３】
本発明の組成物は、１，３，３，３−テトラフルオロプロペン（ＨＦＯ−１２３４ｚｅ）、１，１，２−トリフルオロエタン（ＨＦＣ−１４３）、１，１，１，２−テトラフルオロエタン（ＨＦＣ−１３４ａ）、１，１，１，２，２，３，３−ヘプタフルオロプロパン（ＨＦＣ−２２７ｃａ）及びフルオロエタン（ＨＦＣ−１６１）から成る群から選択される少なくとも１つの化合物を更に含んでいてよい。
【００１４】
別の実施形態では、本発明の組成物は、１，３，３，３−テトラフルオロプロペン（ＨＦＯ−１２３４ｚｅ）、１，１，２−トリフルオロエタン（ＨＦＣ−１４３）、１，１，１，２−テトラフルオロエタン（ＨＦＣ−１３４ａ）、１，１，１，２，２，３，３−ヘプタフルオロプロパン（ＨＦＣ−２２７ｃａ）及びフルオロエタン（ＨＦＣ−１６１）から成る群から選択される少なくとも１つのトレーサー化合物を更に含んでいてよい。
【００１５】
ＨＦＣ−１５２ａ、ＨＦＣ−１４３ａ、ＨＦＣ−３２，ＦＣ−Ｃ３１８，ＦＯ−１３１８ｍｙ、ＨＦＣ−２２７ｅａ、ＨＦＯ−１２２５ｚｃ、ＨＦＣ−２４５ｃｂ、ＨＦＯ−１２２５ｙｅ、ＨＦＣ−１２５、ＨＣＦＣ−２２、ＨＣＦＣ−１２４、ＨＣＦＣ−１２４ａ、ＨＣＣ−４０、ＨＣＦＣ−３１、ＣＦＣ−１１４、ＣＦＣ−１１４ａ、ＨＦＯ−１１３２ａ、ＨＦＯ−１１２３、ＨＦＯ−１２３４ｚｅ、ＨＦＣ−１４３、ＨＦＣ−２２７ｃａ、ＨＦＣ−１６１及びプロパンは、市販されているか、又は当該技術分野において公知のプロセスによって作製される。残りの追加の化合物又はトレーサーは、専門のフルオロケミカル供給業者、例えば、ＳｙｎＱｕｅｓｔ  Ｌａｂｏｒａｔｏｒｉｅｓ，Ｉｎｃ．（Ａｌａｃｈｕａ，Ｆｌｏｒｉｄａ，ＵＳＡ）から購入することができる。
【００１６】
本発明の組成物は、ＨＦＣ−１３４と、１つの追加の化合物、又は２つの追加の化合物、又は３つ以上の追加の化合物とを含んでいてよい。
【００１７】
一実施形態では、ＨＦＣ−１３４を含む組成物中の追加の化合物の総量は、当該組成物の総重量に基づいて、０重量％超〜５０重量％未満の範囲である。別の実施形態では、追加の化合物の総量は、当該組成物の総重量に基づいて、０重量％超〜２５重量％未満の範囲である。別の実施形態では、追加の化合物の総量は、当該組成物の総重量に基づいて、０重量％超〜１０重量％未満の範囲である。別の実施形態では、追加の化合物の総量は、当該組成物の総重量に基づいて、０重量％超〜５重量％未満の範囲である。別の実施形態では、追加の化合物の総量は、当該組成物の総重量に基づいて、０重量％超〜１．０重量％未満の範囲である。別の実施形態では、追加の化合物の総量は、当該組成物の総重量に基づいて、０重量％超〜０．５重量％未満の範囲である。別の実施形態では、追加の化合物の総量は、０．０００１重量％〜約１重量％の範囲である。別の実施形態では、追加の化合物の総量は、０．００１重量％〜約１重量％の範囲である。別の実施形態では、追加の化合物の総量は、０．０００１重量％〜約０．５重量％の範囲である。別の実施形態では、追加の化合物の総量は、０．００１重量％〜約０．５重量％の範囲である。
【００１８】
一実施形態では、ＨＦＣ−１３４及び他の化合物を含む組成物は、少なくとも１つのトレーサー化合物を更に含んでいてもよい。トレーサー化合物の含有は、希釈、不純物混和又は夾雑の発生を判定したり、又は組成物の由来を立証したりするのに有用である。トレーサー化合物は、１，３，３，３−テトラフルオロプロペン（ＨＦＯ−１２３４ｚｅ）、１，１，２−トリフルオロエタン（ＨＦＣ−１４３）、１，１，１，２−テトラフルオロエタン（ＨＦＣ−１３４ａ）、１，１，１，２，２，３，３−ヘプタフルオロプロパン（ＨＦＣ−２２７ｃａ）、フルオロエタン（ＨＦＣ−１６１）、又はこれらの組合せから成る群から選択してよい。一実施形態では、トレーサー化合物は、組成物中に約１百万分率（ｐｐｍ）〜約１０００ｐｐｍの濃度で存在していてよい。別の実施形態では、トレーサー化合物は、約１ｐｐｍ〜約５００ｐｐｍの濃度で存在していてよい。別の実施形態では、トレーサー化合物は、約１０ｐｐｍ〜約５００ｐｐｍの濃度で存在していてよい。あるいは、トレーサー化合物は、約１０ｐｐｍ〜約３００ｐｐｍの濃度で存在していてよい。
【００１９】
別の実施形態では、本発明の組成物は、以下から成る群から選択される組成物を含む：  ＨＦＣ−１３４及びＨＦＣ−１５２ａ；
ＨＦＣ−１３４、ＨＦＣ−１５２ａ及びＨＦＯ−１２３４ｚｅ；
ＨＦＣ−１３４、ＨＦＣ−１５２ａ及びＨＦＯ−１２２５ｙｅ；
ＨＦＣ−１３４、ＨＦＣ−１５２ａ及びＨＦＯ−１２２５ｚｃ；
ＨＦＣ−１３４、ＨＦＣ−１５２ａ及びＨＣＦＣ−１２４；
ＨＦＣ−１３４、ＨＦＣ−１５２ａ及びＨＣＦＣ−１２４ａ；
ＨＦＣ−１３４、ＨＦＣ−１５２ａ及びＨＣＦＣ−３１；
ＨＦＣ−１３４、ＨＦＣ−１６１及びＨＦＯ−１２３４ｚｅ；
ＨＦＣ−１３４、ＨＦＣ−１６１及びＨＦＯ−１２２５ｙｅ；
ＨＦＣ−１３４、ＨＦＣ−１６１及びＨＦＯ−１２２５ｚｃ；
ＨＦＣ−１３４、ＨＦＣ−１６１及びＨＣＦＣ−１２４；
ＨＦＣ−１３４、ＨＦＣ−１６１及びＨＣＦＣ−１２４ａ；
ＨＦＣ−１３４、ＨＦＣ−１６１及びＨＣＦＣ−３１；
ＨＦＣ−１３４、ＨＣＦＣ−３１及びＨＦＯ−１２３４ｚｅ；
ＨＦＣ−１３４、ＨＣＦＣ−３１及びＨＦＯ−１２２５ｙｅ；
ＨＦＣ−１３４、ＨＣＦＣ−３１及びＨＦＯ−１２２５ｚｃ；
ＨＦＣ−１３４、ＨＣＦＣ−３１及びＨＣＦＣ−１２４；
ＨＦＣ−１３４、ＨＣＦＣ−３１及びＨＣＦＣ−１２４ａ；
ＨＦＣ−１３４、ＨＣＦＣ−１２４ａ及びＨＣＦＣ−１２４；
ＨＦＣ−１３４、ＨＣＦＣ−１２４ａ及びＨＦＯ−１２３４ｚｅ；
ＨＦＣ−１３４、ＨＣＦＣ−１２４ａ及びＨＦＯ−１２２５ｙｅ；
ＨＦＣ−１３４、ＨＣＦＣ−１２４ａ及びＨＦＯ−１２２５ｚｃ；
ＨＦＣ−１３４、ＨＣＦＣ−１２４及びＨＦＯ−１２３４ｚｅ；
ＨＦＣ−１３４、ＨＣＦＣ−１２４及びＨＦＯ−１２２５ｙｅ；
ＨＦＣ−１３４、ＨＣＦＣ−１２４及びＨＦＯ−１２２５ｚｃ；
ＨＦＣ−１３４、ＨＦＣ−１５２ａ、ＨＦＣ−１３４ａ及びＨＦＯ−１２２５ｙｅ；
ＨＦＣ−１３４、ＨＦＣ−１５２ａ、ＨＦＣ−１３４ａ及びＨＦＯ−１２２５ｚｃ；
ＨＦＣ−１３４、ＨＦＣ−１５２ａ、ＨＦＯ−１２２５ｚｃ及びＨＦＯ−１２２５ｙｅ；
ＨＦＣ−１３４、ＨＦＣ−１３４ａ、ＨＦＯ−１２２５ｚｃ及びＨＦＯ−１２２５ｙｅ；並びに
ＨＦＣ−１３４、ＨＦＣ−１３４ａ、ＨＦＣ−１５２ａ及びＨＦＯ−１２３４ｚｅ。
【００２０】
本明細書に開示する組成物の一実施形態では、ＨＦＯ−１２３４ｚｅは、Ｅ−ＨＦＯ−１２３４ｚｅ、Ｚ−ＨＦＯ−１２３４ｚｅ又はこれらの組合せである。
【００２１】
本明細書に開示する組成物の一実施形態では、ＨＦＯ−１２２５ｙｅは、Ｅ−ＨＦＯ−１２２５ｙｅ、Ｚ−ＨＦＯ−１２２５ｙｅ又はこれらの組合せである。
【００２２】
本明細書に開示する組成物の一実施形態では、ジフルオロエチレンは、１，１−ジフルオロエチレン（ＨＦＯ−１１３２ａ）、１，２−ジフルオロエチレン（ＨＦＯ−１１３２）又はこれらの組合せである。更に、別の実施形態では、ＨＦＯ−１１３２は、Ｅ−ＨＦＯ−１１３２、Ｚ−ＨＦＯ−１１３２又はこれらの組合せである。
【００２３】
したがって、別の実施形態では、本発明の組成物は、以下から成る群から選択される組成物を含む：
ＨＦＣ−１３４、ＨＦＣ−１５２ａ及びＺ−ＨＦＯ−１２３４ｚｅ；
ＨＦＣ−１３４、ＨＦＣ−１５２ａ及びＥ−ＨＦＯ−１２３４ｚｅ；
ＨＦＣ−１３４、ＨＦＣ−１５２ａ及びＺ−ＨＦＯ−１２２５ｙｅ；
ＨＦＣ−１３４、ＨＦＣ−１５２ａ及びＥ−ＨＦＯ−１２２５ｙｅ；
ＨＦＣ−１３４、ＨＦＣ−１６１及びＺ−ＨＦＯ−１２３４ｚｅ；
ＨＦＣ−１３４、ＨＦＣ−１６１及びＥ−ＨＦＯ−１２３４ｚｅ；
ＨＦＣ−１３４、ＨＦＣ−１６１及びＺ−ＨＦＯ−１２２５ｙｅ；
ＨＦＣ−１３４、ＨＦＣ−１６１及びＥ−ＨＦＯ−１２２５ｙｅ；
ＨＦＣ−１３４、ＨＣＦＣ−３１及びＺ−ＨＦＯ−１２３４ｚｅ；
ＨＦＣ−１３４、ＨＣＦＣ−３１及びＥ−ＨＦＯ−１２３４ｚｅ；
ＨＦＣ−１３４、ＨＣＦＣ−３１及びＺ−ＨＦＯ−１２２５ｙｅ；
ＨＦＣ−１３４、ＨＣＦＣ−３１及びＥ−ＨＦＯ−１２２５ｙｅ；
ＨＦＣ−１３４、ＨＣＦＣ−１２４ａ及びＺ−ＨＦＯ−１２３４ｚｅ；
ＨＦＣ−１３４、ＨＣＦＣ−１２４ａ及びＥ−ＨＦＯ−１２３４ｚｅ；
ＨＦＣ−１３４、ＨＣＦＣ−１２４ａ及びＺ−ＨＦＯ−１２２５ｙｅ；
ＨＦＣ−１３４、ＨＣＦＣ−１２４ａ及びＥ−ＨＦＯ−１２２５ｙｅ；
ＨＦＣ−１３４、ＨＣＦＣ−１２４及びＺ−ＨＦＯ−１２３４ｚｅ；
ＨＦＣ−１３４、ＨＣＦＣ−１２４及びＥ−ＨＦＯ−１２３４ｚｅ；
ＨＦＣ−１３４、ＨＣＦＣ−１２４及びＺ−ＨＦＯ−１２２５ｙｅ；
ＨＦＣ−１３４、ＨＣＦＣ−１２４及びＥ−ＨＦＯ−１２２５ｙｅ；並びに
ＨＦＣ−１３４、ＨＦＣ−１３４ａ、ＨＦＣ−１５２ａ及びＥ−ＨＦＯ−１２３４ｚｅ。
【００２４】
一実施形態では、上記の組成物は、約１〜約９９重量％のＨＦＣ−１３４及び約９９〜約１重量％のＨＦＣ−１５２ａを含む。別の実施形態では、上記の組成物は、約１０〜約９０重量％のＨＦＣ−１３４及び約９０〜約１０重量％のＨＦＣ−１５２ａを含む。別の実施形態では、上記の組成物は、約２０〜約８０重量％のＨＦＣ−１３４及び約８０〜約２０重量％のＨＦＣ−１５２ａを含む。別の実施形態では、上記の組成物は、約３０〜約８０重量％のＨＦＣ−１３４及び約７０〜約２０重量％のＨＦＣ−１５２ａを含む。別の実施形態では、上記の組成物は、約５５〜約９９重量％のＨＦＣ−１３４及び約４５〜約１重量％のＨＦＣ−１５２ａを含む。別の実施形態では、上記の組成物は、約５５〜約９２重量％のＨＦＣ−１３４及び約４５〜約８重量％のＨＦＣ−１５２ａを含む。別の実施形態では、上記の組成物は、約８７〜約９９重量％のＨＦＣ−１３４及び約１３〜約１重量％のＨＦＣ−１５２ａ、又は約９０〜約９９重量％のＨＦＣ−１３４及び約１０〜約１重量％のＨＦＣ−１５２ａを含み、これは不燃性であると予測される。別の実施形態では、上記の組成物は、約５５〜約８７重量％のＨＦＣ−１３４及び約４５〜約１３重量％のＨＦＣ−１５２ａ、又は約７０〜約９０重量％のＨＦＣ−１３４及び約３０〜約１０重量％のＨＦＣ−１５２ａを含み、これは米国暖房冷凍空調学会（ＡＳＨＲＡＥ）（Ａｍｅｒｉｃａｎ  Ｓｏｃｉｅｔｙ  ｏｆ  Ｈｅａｔｉｎｇ，Ｒｅｆｒｉｇｅｒａｔｉｏｎ  ａｎｄ  Ａｉｒ−ｃｏｎｄｉｔｉｏｎｉｎｇ  Ｅｎｇｉｎｅｅｒｓ）によって２Ｌ可燃性に分類されると予測される。
【００２５】
別の実施形態では、上記の組成物は、約２０〜約７５重量％のＨＦＣ−１３４及び約８０〜約２５重量％のＨＦＣ−１５２ａを含む。別の実施形態では、上記の組成物は、約２０〜約５０重量％のＨＦＣ−１３４及び約８０〜約５０重量％のＨＦＣ−１５２ａを含む。別の実施形態では、上記の組成物は、約５０〜約７５重量％のＨＦＣ−１３４及び約５０〜約２５重量％のＨＦＣ−１５２ａを含む。
【００２６】
一実施形態では、上記の組成物は、約１〜約９８重量％のＨＦＣ−１３４、約１〜約９８重量％のＨＦＣ−１５２ａ及び約１〜約９８重量％のＥ−ＨＦＯ−１２３４ｚｅを含む。一実施形態では、上記の組成物は、約１０〜約８０重量％のＨＦＣ−１３４、約１０〜約８０重量％のＨＦＣ−１５２ａ及び約１０〜約８０重量％のＥ−ＨＦＯ−１２３４ｚｅを含む。
【００２７】
特に、特定の用途において有用な組成物は、不燃性又は２Ｌ可燃性であることが必要である場合がある。したがって、別の実施形態では、上記の組成物は、約６〜約１３重量％のＨＦＣ−１５２ａ、ＨＦＣ−１３４及びＥ−ＨＦＯ−１２３４ｚｅを含み、重量％に基づいてＨＦＣ−１３４／Ｅ−ＨＦＯ−１２３４ｚｅの重量比は３７／６３であるか又は重量％に基づいてＨＦＣ−１３４／Ｅ−ＨＦＯ−１２３４ｚｅの重量比は４０／６０であり、これは不燃性であると予測される。別の実施形態では、上記の組成物は、約１３〜約４５重量％のＨＦＣ−１５２ａ、ＨＦＣ−１３４及びＥ−ＨＦＯ−１２３４ｚｅを含み、重量％に基づいてＨＦＣ−１３４／Ｅ−ＨＦＯ−１２３４ｚｅの重量比は３７／６３であるか又は重量％に基づいてＨＦＣ−１３４／Ｅ−ＨＦＯ−１２３４ｚｅの重量比は４０／６０であり、これはＡＳＨＲＡＥによって２Ｌ可燃性に分類されると予測される。別の実施形態では、上記の組成物は、約６〜約３０重量％のＨＦＣ−１５２ａ、ＨＦＣ−１３４及びＥ−ＨＦＯ−１２３４ｚｅを含み、重量％に基づいてＨＦＣ−１３４／Ｅ−ＨＦＯ−１２３４ｚｅの重量比は３７／６３であるか又は重量％に基づいてＨＦＣ−１３４／Ｅ−ＨＦＯ−１２３４ｚｅの重量比は４０／６０であり、これはＡＳＨＲＡＥによって２Ｌ可燃性に分類されると予測される。
【００２８】
一実施形態では、上記の組成物は、約１〜約４０重量％のＨＦＣ−１３４；約１２〜約４０重量％のＨＦＣ−１３４；約１５〜約４０重量％のＨＦＣ−１３４；約２４〜約４０重量％のＨＦＣ−１３４；約２４〜約３７重量％のＨＦＣ−１３４；約２７〜約４０重量％のＨＦＣ−１３４；又は約２７〜約３７重量％のＨＦＣ−１３４を含んでいてよい。
【００２９】
一実施形態では、上記の組成物は、約１５〜約６３重量％のＥ−１２３４ｚｅ；約１８〜約６３重量％のＥ−１２３４ｚｅ；約１５〜約６０重量％のＥ−１２３４ｚｅ；約１８〜約６０重量％のＥ−１２３４ｚｅ；約３５〜約６３重量％のＥ−１２３４ｚｅ；約３５〜約６０重量％のＥ−１２３４ｚｅ；約４７〜約６３重量％のＥ−１２３４ｚｅ；約４７〜約６０重量％のＥ−１２３４ｚｅ；約５０〜約６３重量％のＥ−１２３４ｚｅ；又は約５０〜約６０重量％のＥ−１２３４ｚｅを含んでいてよい。
【００３０】
一実施形態では、上記の組成物は、約６〜約４５重量％のＨＦＣ−１５２ａ；約６〜約２５重量％のＨＦＣ−１５２ａ；約６〜約１３重量％のＨＦＣ−１５２ａ；約１３〜約４５重量％のＨＦＣ−１５２ａ；約１３〜約２５重量％のＨＦＣ−１５２ａ；又は約２５〜約４５重量％のＨＦＣ−１５２ａを含んでいてよい。
【００３１】
別の実施形態では、上記の組成物は、約４〜約３３重量％のＨＦＣ−１３４、約１０〜約９０重量％のＨＦＣ−１５２ａ、及び約６〜約５７重量％のＥ−１２３４ｚｅを含んでいてよい。別の実施形態では、上記の組成物は、約１２〜約４０重量％のＨＦＣ−１３４、約６〜約４５重量％のＨＦＣ−１５２ａ、及び約３５〜約６３重量％のＥ−１２３４ｚｅを含んでいてよい。別の実施形態では、上記の組成物は、約４０〜約４５重量％のＨＦＣ−１３４、約５〜約１５重量％のＨＦＣ−１５２ａ、及び約４０〜約５５重量％のＥ−１２３４ｚｅを含んでいてよい。
【００３２】
１つの実施形態では、本明細書に開示する組成物は、所望の量の個々の成分を加え合わせるための任意の簡便な方法によって調製してよい。好ましい方法は、所望の成分量を秤量し、その後に適切な容器内で成分を加え合わせることである。必要に応じて、撹拌を用いてもよい。
【００３３】
有用性
追加の化合物の多くは、ＨＦＣ−１３４と比べて低い地球温暖化係数を有する。したがって、これらをＨＦＣ−１３４に添加すると、得られる組成物のＧＷＰが低下する。ＨＦＣ−１３４などのフルオロケミカルの多くの用途は、ＧＷＰのより低い冷媒又は作動流体の使用を必要とするように規制されつつある。本明細書に開示する組成物は、このようなＧＷＰのより低い組成物を提供することができる。
【００３４】
本発明の組成物の多くは、１０００未満のＧＷＰを有するように配合することができる。いくつかの組成物は、５００未満のＧＷＰを有するように配合することができる。
【００３５】
ＨＦＣ−１３４のサンプルにおける追加の化合物及び／又はトレーサー化合物の存在は、化合物が製造されたプロセスを特定するために用いることもできる。したがって、追加の化合物及び／又はトレーサー化合物は、そのサンプルの製造に用いられた可能性のあるプロセスを特許請求する化学品製造特許の侵害を発見するために用いることができる。更に、追加の化合物及び／又はトレーサー化合物は、製品が、特許権者によって製造されたか又は製品関連特許を侵害している可能性のある他の実体によって製造されたかを特定するために用いることができる。
【００３６】
追加の化合物及び／又はトレーサー化合物は、エアロゾル又は発泡体のポリマー成分に対する有効成分の溶解度を改善することもできる。更に、空調、ヒートポンプ、冷却及び動力サイクル（例えば、有機ランキンサイクル）における使用などの冷媒用途について、追加の化合物は、鉱油、アルキルベンゼン、合成パラフィン、合成ナフテン、ポリ（アルファ）オレフィン、ポリオールエステル（ＰＯＥ）、ポリアルキレングリコール（ＰＡＧ）、ポリビニルエーテル（ＰＶＥ）若しくはペルフルオロポリエーテル（ＰＦＰＥ）、又はこれらの混合物などの冷却潤滑剤に対する溶解度を改善することもできる。
【００３７】
特定の実施形態では、少なくとも１つの塩素原子を含む追加の化合物及び／又はトレーサー化合物は、エアロゾル又は発泡体のポリマー成分に対する有効成分の溶解度を改善することもできる。更に、空調、ヒートポンプ、冷却及び動力サイクル（例えば、有機ランキンサイクル）における使用などの冷媒用途について、少なくとも１つの塩素原子を含む追加の化合物は、鉱油、アルキルベンゼン、合成パラフィン、合成ナフテン、ポリ（アルファ）オレフィン、ポリオールエステル（ＰＯＥ）、ポリアルキレングリコール（ＰＡＧ）、ポリビニルエーテル（ＰＶＥ）若しくはペルフルオロポリエーテル（ＰＦＰＥ）、又はこれらの混合物などの冷却潤滑剤に対する溶解度を改善することもできる。
【００３８】
ＨＦＣ−１３４を含む本明細書に開示する組成物は、ＧＷＰのより低い伝熱組成物、冷媒、動力サイクル作動流体、エアロゾル噴射剤、発泡剤、膨張剤、溶剤、洗浄剤、分散媒、置換乾燥剤、バフ研磨剤、重合媒体、ポリオレフィン及びポリウレタン用膨張剤、ガス誘電体、消火剤、及び液体又は気体状の火災抑制剤として有用である。開示する組成物は、熱源からヒートシンクに熱を運ぶために使用される作動流体として機能することができる。このような伝熱組成物は、流体が相転移する、すなわち、液体から気体、及び気体から液体に、又はその逆に変化するサイクルにおける冷媒としても有用であり得る。
【００３９】
蒸気圧縮冷却、空調又はヒートポンプシステムは、蒸発機、圧縮機、凝縮機及び膨張装置を含む。蒸気圧縮サイクルは、複数の工程において冷媒を再使用し、ある工程においては冷却効果、異なる工程においては加熱効果を生じさせる。上記のサイクルは、以下のように簡単に説明することができる。液体冷媒が膨張装置を通って蒸発機に入り、当該液体冷媒が蒸発機において沸騰し、環境から熱を奪うことによって、低温で蒸気が形成され、冷却が生じる。低圧の蒸気は圧縮機に入り、そこで蒸気が圧縮されて、その圧力及び温度が上昇する。次いで、高圧の（圧縮された）蒸気の冷媒が凝縮機に入り、そこで冷媒が凝縮し、その熱を環境に放出する。冷媒は膨張装置に戻り、それを通じて液体は凝縮機におけるより高圧レベルから蒸発機における低圧レベルに膨張し、このようにして、サイクルを繰り返す。
【００４０】
一実施形態では、ＨＦＣ−１３４を含む本組成物のいずれかを含有する伝熱システムが提供される。別の実施形態では、本明細書に開示するＨＦＣ−１３４を含む本組成物のいずれかを含有する冷却、空調又はヒートポンプ装置が開示される。別の実施形態では、本明細書に開示するＨＦＣ−１３４を含む本組成物のいずれかを含有する固定式冷却又は空調装置が開示される。更に別の実施形態では、本明細書に開示する組成物を含有する可動式冷却又は空調機器が開示される。
【００４１】
伝熱システムの例としては、空調装置、冷凍庫、冷蔵庫、ヒートポンプ、冷水機、満液式蒸発冷却機、直接膨張式冷却機、ウォークインクーラー、ヒートポンプ、可動式冷蔵庫、可動式空調ユニット及びこれらの組合せが挙げられるが、これらに限定されない。
【００４２】
一実施形態では、ＨＦＣ−１３４を含む組成物は、冷却、空調、又はヒートポンプシステム若しくは装置を含む可動式伝熱システムにおいて有用である。別の実施形態では、上記の組成物は、冷却、空調又はヒートポンプシステム若しくは装置を含む固定式伝熱システムにおいて有用である。
【００４３】
本発明で使用する場合、可動式伝熱システムとは、道路、鉄道、海上又は航空用の輸送ユニットに組み込まれる任意の冷却、空調装置又は加熱装置を指す。更に、可動式冷却又は空調装置ユニットは、任意の移動キャリアから独立しており、かつ「インターモーダル」システムとして知られている装置を含む。このようなインターモーダルシステムとしては、「コンテナ」（複合海上／陸上輸送）並びに「スワップボディ」（複合道路／鉄道輸送）が挙げられる。
【００４４】
本明細書で使用するとき、固定式伝熱システムは、動作中に適所に固定されるシステムである。固定式伝熱システムは、任意の様々な建物内に関連付けられるか若しくは取り付けられてもよく、又はソフトドリンク自動販売機などの屋外に置かれるスタンドアロン装置であってもよい。これら固定式用途は、固定式空調及びヒートポンプ（チラー、（凝縮機温度が５０℃、５５℃、６０℃、６５℃、７０℃、８０℃、１００℃、１２０℃、１４０℃、１６０℃、１８０℃又は２００℃を超える）遷移臨界ヒートポンプを含む高温ヒートポンプ、住宅用、商用又は工業用空調システムが挙げられるが、これらに限定されず、また窓、ダクトレス、ダクト付き、パッケージ済みターミナルチラー、並びにルーフトップシステムなどの建物に接続された外装が挙げられる）。固定式冷却用途において、開示する組成物は、商業用、工業用又は住宅用の冷蔵庫及び冷凍庫、製氷機、内蔵型クーラー及びフリーザ、満液式蒸発冷却機、直接膨張式冷却機、ウォークイン及びリーチインクーラー及びフリーザ、並びに組合せシステムを含む、高温、中温及び／又は低温冷却機器において有用であり得る。いくつかの実施形態では、開示する組成物は、スーパーマーケットの冷蔵庫システムにおいて使用され得る。
【００４５】
したがって、本発明によれば、ＨＦＣー１３４を含有する本明細書に開示する組成物は、冷却を生じさせる方法、加熱を生じさせる方法及び熱を伝達する方法において有用であり得る。
【００４６】
一実施形態では、冷却を生じさせる方法であって、冷却する物体の近傍でＨＦＣ−１３４を含む本組成物のいずれかを蒸発させること、及び、その後に当該組成物を凝縮させることを含む方法が提供される。別の実施形態では、上記の方法は、冷却機において冷却を生じさせる。別の実施形態では、冷却機は、遠心冷却機である、すなわち、冷却装置が遠心圧縮機を含む。
【００４７】
別の実施形態では、加熱を生じさせる方法であって、加熱する物体の近傍でＨＦＣ−１３４を含む本組成物のいずれかを凝縮させること、及び、その後に当該組成物を蒸発させることを含む方法が提供される。
【００４８】
加熱を生じさせる方法の一実施形態では、上記の加熱は、少なくとも５５℃の熱交換機動作温度を含む高温ヒートポンプにおいて生じる。それに比べて、住宅用ヒートポンプは、住宅又は住居（一戸建て又は付設集合住宅を含む）を暖めるため、及び約３０℃〜約５０℃の最高熱交換機温度で動作するために、加熱した空気を生じさせるために用いられる。
【００４９】
加熱を生じさせる方法の別の実施形態では、熱交換機は、超臨界作動流体冷却機及び凝縮機から成る群から選択される。したがって、高温ヒートポンプの動作は、熱交換機が超臨界作動流体冷却機であるとき、遷移臨界又は超臨界モードであってよい。
【００５０】
加熱を生じさせる方法の別の実施形態では、熱交換機は、約７１℃よりも高い温度で動作する。
【００５１】
加熱を生じさせる方法の別の実施形態では、高温ヒートポンプは、スクリュー圧縮機、スクロール圧縮機又は遠心圧縮機から選択される圧縮機を更に含む。加熱を生じさせる方法の別の実施形態では、高温ヒートポンプは、遠心圧縮機を含む。
【００５２】
加熱を生じさせる方法の別の実施形態では、上記の方法は、第１の伝熱媒体を熱交換機に通し、それによって、抽出された熱が当該第１の伝熱媒体を加熱し、加熱された第１の伝熱媒体を当該熱交換機から加熱する物体に移動させることを更に含む。
【００５３】
加熱を生じさせる方法の別の実施形態では、第１の伝熱媒体は、工業用伝熱液であり、加熱する物体は、化学プロセス流である。加熱を生じさせる方法の別の実施形態では、第１の伝熱媒体は、水であり、加熱する物体は、暖房用空気である。
【００５４】
加熱を生じさせる方法の別の実施形態では、上記の方法は、冷却された作動流体を膨張させ、次いで、第２の熱交換機中で作動流体を加熱して、加熱された作動流体を生成することを更に含む。加熱を生じさせる方法の別の実施形態では、上記の第２の熱交換機が、蒸発機であり、加熱された作動流体は、蒸気である。
【００５５】
高温ヒートポンプにおいて加熱を生じさせる方法の一実施形態では、カスケード構成で配置された少なくとも２つの段階間で熱が交換され、第１のカスケード段階において、第１の作動流体中の選択されたより低い温度の熱を吸収することと、この熱を、より高い温度の熱を供給する第２のカスケード段階の第２の作動流体に伝達することとを含み、当該第１又は第２の作動流体は、１，１，２，２−テトラフルオロエタンから成る冷媒を含む。
【００５６】
本発明の一実施形態では、高温ヒートポンプ装置における凝縮機の動作温度を上昇させる方法が提供される。上記の方法は、本明細書に開示する１，１，２，２−テトラフルオロエタン（ＨＦＣ−１３４）を含む冷媒を含む作動流体を高温ヒートポンプに充填することを含む。上記の方法の別の実施形態では、上記の高温ヒートポンプ装置は、遠心圧縮機を含む。上記の方法の別の実施形態では、凝縮機の動作温度を約７１℃よりも高い温度に上昇させる。
【００５７】
本発明の一実施形態では、高温ヒートポンプ装置が提供される。高温ヒートポンプ装置は、本明細書に開示する１，１，２，２−テトラフルオロエタンの組成物を含む冷媒を含む作動流体を収容する。上記の装置の別の実施形態では、上記の装置は、遠心圧縮機を含む。上記の装置の別の実施形態では、上記の装置は、約７１℃よりも高い温度で動作する凝縮機を含む。
【００５８】
高温ヒートポンプ装置の別の実施形態では、上記の装置は、（ａ）作動流体が貫流し、加熱される第１の熱交換機と、（ｂ）加熱された作動流体をより高圧に圧縮する、当該第１の熱交換機と流体連通している圧縮機と、（ｃ）高圧作動流体が貫流し、冷却される、当該圧縮機と流体連通している第２の熱交換機と、（ｄ）当該第２の熱交換機と流体連通している減圧装置であって、当該冷却された作動流体の圧力を低減し、当該作動流体が後で繰り返しサイクルで構成要素（ａ）、（ｂ）、（ｃ）及び（ｄ）を繰り返し貫流するように、当該第１の熱交換機と更に流体連通している減圧装置とを含む。
【００５９】
高温ヒートポンプ装置の別の実施形態では、上記の装置は、スクリュー圧縮機、スクロール圧縮機又は遠心圧縮機から選択される圧縮機を更に含む。加熱を生じさせる方法の別の実施形態では、高温ヒートポンプは、遠心圧縮機を含む。上記の装置の別の実施形態では、高温ヒートポンプ装置は、少なくとも２つの加熱段階を有する。
【００６０】
上記の装置の別の実施形態では、高温ヒートポンプ装置は、各段階が作動流体を循環させる、カスケード加熱システムとして配置される第１の段階と、最終段階と、任意に、少なくとも１つの中間段階とを含み、第１の段階又は中間段階から最終段階に熱が伝達され、少なくとも１つの段階における作動流体は、本明細書に開示する１，１，２，２−テトラフルオロエタンを含む冷媒を含む。
【００６１】
上記の装置の別の実施形態では、高温ヒートポンプ装置は、各段階が作動流体を循環させる、カスケード加熱システムとして配置される少なくとも２つの加熱段階と、第１の段階と、最終段階とを含み、
（ａ）第１の作動流体液の圧力及び温度を低減させるための第１の膨張装置と、
（ｂ）第１の膨張装置と流体連通しており、入口及び出口を有する蒸発機と、
（ｃ）蒸発器と流体連通しており、入口及び出口を有する第１の圧縮機と、
（ｄ）第１の圧縮機の出口と流体連通しているカスケード熱交換器システムであって、    （ｉ）第１の作動流体が貫流する第１の入口及び第１の出口と、
（ｉｉ）第１の作動流体と熱連通している第２の作動流体が貫流する第２の入口及び第２の出口とを有する、カスケード熱交換システムと、
（ｅ）カスケード熱交換器システムの第２の出口と流体連通しており、入口及び出口を有する第２の圧縮機と、
（ｆ）第２の圧縮機と流体連通しており、入口及び出口を有する凝縮機と、
（ｇ）凝縮機と流体連通している第２の膨張装置とを備え、
第１又は第２の作動流体は、本明細書に開示する１，１，２，２−テトラフルオロエタンを含む冷媒を含む。
【００６２】
カスケード高温ヒートポンプ装置の別の実施形態では、第１の作動流体は、ＨＦＯ−１２３４ｙｆ、Ｅ−ＨＦＯ−１２３４ｚｅ、ＨＦＯ−１２４３ｚｆ、ＨＦＣ−１６１、ＨＦＣ−３２、ＨＦＣ−１２５、ＨＦＣ−２４５ｃｂ、ＨＦＣ−１３４ａ、ＨＦＣ−１４３ａ、ＨＦＣ−１５２ａ、ＨＦＣ−２２７ｅａ、及びこれらの混合物から成る群から選択される少なくとも１つの冷媒を含み、第２の作動流体は、ＨＦＣ−１３４及び本明細書に開示する少なくとも１つの追加の化合物を含む冷媒を含む。第２の作動流体が、ＨＦＣ−１３４及びＨＦＣ−１５２ａ、又はＨＦＣ−１３４、ＨＦＣ−１５２ａ、及びＥ−ＨＦＯ−１２３４ｚｅを含む装置に注目すべきである。
【００６３】
カスケード高温ヒートポンプ装置の別の実施形態では、第２の作動流体は、ＨＦＣ−２３６ｅａ、ＨＦＣ−２３６ｆａ、ＨＦＣ−２４５ｆａ、ＨＦＣ−２４５ｅｂ、Ｅ−ＨＦＯ−１２３４ｙｅ、Ｚ−ＨＦＯ−１２３４ｙｅ、Ｚ−ＨＦＯ−１２３４ｚｅ、ＨＦＣ−３６５ｍｆｃ、ＨＦＣ−４３１０ｍｅｅ、ＨＦＯ−１３３６ｍｚｚ−Ｅ、ＨＦＯ−１３３６ｍｚｚ−Ｚ、ＨＦＯ−１４３８ｍｚｚ−Ｅ、ＨＦＯ−１４３８ｍｚｚ−Ｚ、ＨＦＯ−１４３８ｅｚｙ−Ｅ、ＨＦＯ−１４３８ｅｚｙ−Ｚ、ＨＦＯ−１３３６ｙｆ、ＨＦＯ−１３３６ｚｅ−Ｅ、ＨＦＯ−１３３６ｚｅ−Ｚ、ＨＣＦＯ−１２３３ｚｄ−Ｅ、ＨＣＦＯ−１２３３ｚｄ−Ｚ、ＨＣＦＯ−１２３３ｘｆ、ＨＦＥ−３４７ｍｃｃ、ＨＦＥ−４４９ｍｃｃｃ、ＨＦＥ−５６９ｍｃｃｃ、３−エトキシ−１，１，１，２，３，４，４，５，５，６，６，６−ドデカフルオロ−２−トリフルオロメチル−ヘキサン、１，１，１，２，２，４，５，５，５−ノナフルオロ−４−（トリフルオロメチル）−３−ペンタノン、オクタメチルシクロテトラシロキサン、デカメチルシクロペンタシロキサン、オクタメチルトリシロキサン、ヘキサメチルジシロキサン、ｎ−ペンタン、イソペンタン、シクロペンタン、ヘキサン、シクロヘキサン、ヘプタン、トルエン及びこれらの混合物から成る群から選択される少なくとも１つの冷媒を含み、第１の作動流体は、ＨＦＣ−１３４及び本明細書に開示する少なくとも１つの追加の化合物を含む冷媒を含む。第２の作動流体が、ＨＦＣ−１３４及びＨＦＣ−１５２ａ、又はＨＦＣ−１３４、ＨＦＣ−１５２ａ、及びＥ−ＨＦＯ−１２３４ｚｅを含む装置に注目すべきである。
【００６４】
カスケード高温ヒートポンプ装置の別の実施形態では、最終段階における作動流体は、ＨＦＣ−２３６ｅａ、ＨＦＣ−２３６ｆａ、ＨＦＣ−２４５ｆａ、Ｅ−ＨＦＯ−１２３４ｙｅ、Ｚ−ＨＦＯ−１２３４ｙｅ、Ｚ−ＨＦＯ−１２３４ｚｅ、ＨＦＣ−２４５ｅｂ、ＨＦＣ−３６５ｍｆｃ、ＨＦＣ−４３１０ｍｅｅ、ＨＦＯ−１３３６ｍｚｚ−Ｅ、ＨＦＯ−１３３６ｍｚｚ−Ｚ、ＨＦＯ−１４３８ｍｚｚ−Ｅ、ＨＦＯ−１４３８ｍｚｚ−Ｚ、ＨＦＯ−１４３８ｅｚｙ−Ｅ、ＨＦＯ−１４３８ｅｚｙ−Ｚ、ＨＦＯ−１３３６ｙｆ、ＨＦＯ−１３３６ｚｅ−Ｅ、ＨＦＯ−１３３６ｚｅ−Ｚ、ＨＣＦＯ−１２３３ｚｄ−Ｅ、ＨＣＦＯ−１２３３ｚｄ−Ｚ、ＨＣＦＯ−１２３３ｘｆ、ＨＦＥ−３４７ｍｃｃ、ＨＦＥ−４４９ｍｃｃｃ、ＨＦＥ−５６９ｍｃｃｃ、３−エトキシ−１，１，１，２，３，４，４，５，５，６，６，６−ドデカフルオロ−２−トリフルオロメチル−ヘキサン、１，１，１，２，２，４，５，５，５−ノナフルオロ−４−（トリフルオロメチル）−３−ペンタノン、オクタメチルシクロテトラシロキサン、デカメチルシクロペンタシロキサン、オクタメチルトリシロキサン、ヘキサメチルジシロキサン、ｎ−ペンタン、イソペンタン、シクロペンタン、ヘキサン、シクロヘキサン、ヘプタン、トルエン及びこれらの混合物から成る群から選択される少なくとも１つの冷媒を含む。
【００６５】
カスケード高温ヒートポンプ装置の別の実施形態では、第１の作動流体は、ＣＯ2、ＮＨ3又はＮ2Ｏから選択される少なくとも１つの作動流体を含む。
【００６６】
本発明の一実施形態では、高温ヒートポンプにおける作動流体としての、ＨＦＣ−１３４及び少なくとも１つの追加の化合物を含む冷媒の使用が提供される。高温ヒートポンプにおける使用の別の実施形態では、高温ヒートポンプは、スクリュー圧縮機、スクロール圧縮機又は遠心圧縮機から選択される圧縮機を含む。上記の使用の別の実施形態では、高温ヒートポンプは、遠心圧縮機を含む。上記の装置の別の実施形態では、高温ヒートポンプ装置は、少なくとも２つの加熱段階を有する。使用の別の実施形態では、高温ヒートポンプは、凝縮機を更に含む。使用の別の実施形態では、凝縮機の動作温度は、約７１℃よりも高い。
【００６７】
本発明の一実施形態では、高温ヒートポンプにおけるＨＦＣ−１３４ａを代替する方法が提供される。上記の方法は、ＨＦＣ−１３４及び本明細書に開示する少なくとも１つの追加の化合物を含む冷媒を含む作動流体を上記の高温ヒートポンプに充填することを含む。ＨＦＣ−１３４を代替する方法の別の実施形態では、上記の高温ヒートポンプは、遠心圧縮機を含む。ＨＦＣ−１３４を代替する方法の別の実施形態では、上記の高温ヒートポンプは、凝縮機を更に含む。別の実施形態では、凝縮機の動作温度を約７１℃よりも高い温度に上昇させる。別の実施形態では、凝縮機の動作温度を約７１℃〜約８０℃の温度に上昇させる。
【００６８】
別の実施形態では、伝熱流体組成物としてＨＦＣ−１３４を含む本組成物を使用する方法が開示される。上記の方法は、上記の組成物を熱源からヒートシンクに運ぶことを含む。
【００６９】
本明細書に開示する組成物は、特に、Ｒ−２４５ｆａ（又はＨＦＣ−２４５ｆａ、１，１，１，３，３−ペンタフルオロプロパン）、Ｒ−１１４（又はＣＦＣ−１１４、１，２−ジクロロ−１，１，２，２−テトラフルオロエタン）、Ｒ−２３６ｆａ（又はＨＦＣ−２３６ｆａ、１，１，１，３，３，３−ヘキサフルオロプロパン）、Ｒ−２３６ｅａ（又はＨＦＣ−２３６ｅａ、１，１，１，２，３，３−ヘキサフルオロプロパン）、Ｒ−１２４（又はＨＣＦＣ−１２４、２−クロロ−１，１，１，２−テトラフルオロエタン）及びＲ−１３４ａ（又はＨＦＣ−１３４ａ、１，１，１，２−テトラフルオロエタン）が挙げられるが、これらに限定されない、他の現在使用されている冷媒の低地球温暖化係数（ＧＷＰ）代替物として有用であり得る。
【００７０】
多くの用途において、ＨＦＯ−１３４ａを含む本組成物のいくつかの実施形態は、冷媒として有用であり、代替が求められている冷媒として、少なくとも同等の冷却性能（冷却容量及びエネルギー効率を意味する）を提供する。更に、本発明の組成物は、代替される冷媒と同等の加熱性能（加熱容量及びエネルギー効率を意味する）を提供する。
【００７１】
別の実施形態では、代替される冷媒及び潤滑剤を含有する伝熱システムを再充填する方法であって、当該システムに潤滑剤のかなりの部分を保持しながら、代替される冷媒を当該伝熱システムから除去することと、ＨＦＣ−１３４を含む本組成物のうちの１つを当該伝熱システムに導入することとを含む。いくつかの実施形態では、システム内の潤滑油が部分的に代替される（例えば、ＨＣＦＣ−２２等と共に使用される鉱油潤滑剤の一部をＰＯＥ潤滑剤で代替する）。
【００７２】
別の実施形態では、ＨＦＣ−１３４を含む本発明の組成物は、冷却機内の冷媒の補充に使用してよい。例えば、ＨＦＣ−１３４ａを使用する冷却機又はヒートポンプの性能が、冷媒の漏洩により低下した場合、本来の仕様に見合う性能に再び戻すために、本明細書に開示する組成物を添加してよい。
【００７３】
別の実施形態では、ＨＦＣ−１３４を含む本組成物のいずれかを収容する熱交換システムであって、空調装置、冷凍庫、冷蔵庫、ヒートポンプ、冷水機、満液式蒸発冷却機、直接膨張式冷却機、ウォークインクーラー、ヒートポンプ、可動式冷蔵庫、可動式空調ユニット及びこれらの組合せを有するシステムからなる群から選択されるシステムが提供される。更に、本明細書に開示するＨＦＣ−１３４を含む組成物は、これら組成物が主冷媒として機能して、二次伝熱液に冷却を提供し、それによって遠隔地を冷却する二次ループシステムにおいて有用であり得る。
【００７４】
別の実施形態では、本発明は、発泡体の調製において使用するための、ＨＦＣ−１３４を含む泡膨張剤組成物に関する。他の実施形態では、本発明は、発泡性組成物、好ましくは、熱硬化性（ポリウレタン、ポリイソシアヌレート又はフェノールなど）発泡組成物、及び熱可塑性（ポリスチレン、ポリエチレン又はポリプロピレンなど）発泡組成物、並びに発泡体の調製方法を提供する。このような発泡体の実施形態では、ＨＦＣ−１３４を含む本組成物のうちの１つ以上は、発泡性組成物に泡膨張剤として含まれ、当該組成物は、好ましくは、発泡体又は気泡構造を形成するために適切な条件下で反応及び／又は混合並びに発泡することができる１つ以上の追加成分を含む。
【００７５】
本発明は、更に、（ａ）発泡性組成物に、本発明のＨＦＣ−１３４を含む組成物を添加することと、（ｂ）発泡体の形成に有効な条件下で発泡性組成物を処理することとを含む、発泡体を形成する方法に関する。
【００７６】
本発明の別の実施形態は、噴霧可能な組成物における噴射剤としての、ＨＦＣ−１３４を含む本発明の組成物の使用に関する。更に、本発明は、ＨＦＣ−１３４を含む噴霧可能な組成物に関する。不活性成分、溶媒及び他の材料と共に噴霧される活性成分が、噴霧可能な組成物中に存在してもよい。一実施形態では、噴霧可能な組成物は、エアロゾルである。本組成物は、様々な工業用エアロゾル又は他の噴霧可能な組成物、例えば、コンタクトクリーナー、ダスター、潤滑油スプレー、離型スプレー、殺虫剤など、並びに消費者向けエアロゾル、例えば、パーソナルケア製品（例えば、ヘアスプレー、防臭剤及び香水）、家庭用製品（例えば、ワックス、研磨剤、パンスプレー、室内清浄剤及び家庭用殺虫剤）及び自動車用製品（例えば、クリーナー及びポリッシャー）に加えて、医療用薬剤、例えば、抗ぜんそく薬及び口臭予防剤を配合するために使用することができる。これらの例としては、ぜんそく及び他の慢性閉塞性肺疾患の治療用、並びにアクセス可能な粘膜又は鼻腔内への薬剤の送達用の定量吸入器（ＭＤＩ）が挙げられる。
【００７７】
本発明は、更に、エアロゾル製品を製造するプロセスであって、エアロゾル容器内の活性成分を含む製剤に、ＨＦＣ−１３４を含む本発明の組成物を添加する工程を含み、当該組成物が噴射剤として機能するプロセスに関する。更に、本発明は、更に、エアロゾル製品を製造するプロセスであって、バリア型エアロゾルパッケージ（バッグイン缶又はピストン缶など）に、ＨＦＣ−１３４を含む本発明の組成物を添加する工程を含み、当該組成物が、エアロゾル容器内で他の製剤成分とは別々に保持されており、当該組成物が噴射剤として機能するプロセスに関する。更に、本発明は、更に、エアロゾル製品を製造するプロセスであって、エアロゾルパッケージに、ＨＦＣ−１３４を含む本発明の組成物のみを添加する工程を含み、当該組成物が活性成分（例えば、ダスター、又は冷却若しくは冷凍スプレー）として機能するプロセスに関する。
【００７８】
熱源からの熱を機械エネルギーに変換するプロセスが提供される。上記のプロセスは、ＨＦＣ−１３４と、少なくとも１つの追加の化合物と、任意に少なくとも１つのトレーサー化合物とを含む作動流体を加熱すること、及び、その後に加熱された作動流体を膨張させることを含む。このプロセスでは、作動流体を加熱することは、熱源から供給される熱を使用し、加熱された作動流体を膨張させることによって、作動流体の圧力が低下するのにしたがって機械エネルギーが発生する。
【００７９】
上記の熱を変換するためのプロセスは、亜臨界サイクル、遷移臨界サイクル又は超臨界サイクルであってよい。遷移臨界サイクルでは、作動流体は、加熱前にその臨界圧を超える圧力に圧縮された後、膨張中に、作動流体圧はその臨界圧未満に低下する。超臨界サイクルでは、作動流体は、完全サイクル（例えば、圧縮、加熱、膨張及び冷却）にわたってその臨界圧を超える圧力に維持される。
【００８０】
熱源としては、低圧蒸気、産業廃熱、太陽エネルギー、地熱熱水、低圧地熱蒸気（一次又は二次配列）、又は燃料電池若しくは原動機、例えば、タービン、マイクロタービン若しくは内燃エンジンを利用する分散型発電機器が挙げられる。１つの低圧蒸気源は、二流体地熱ランキンサイクルとして知られているプロセスであってよい。多量の低温蒸気は、化石燃料動力発電所などの多くの場所で見出すことができる。他の熱源としては、可動式内燃機関（例えば、トラック若しくは鉄道のディーゼルエンジン又は船舶）から排出されるガスから回収される廃熱、固定式内燃機関（例えば、固定式ディーゼルエンジン発電機）からの排気ガスからの廃熱、燃料電池からの廃熱、複合冷暖房発電又は地域冷暖房プラントで入手可能な熱、バイオマス燃料のエンジンからの廃熱、バイオガス、埋立地ガス及び炭層メタンを含む様々な供給源からのメタンで動作する天然ガス若しくはメタンガスバーナー又はメタン燃焼ボイラー又はメタン燃料電池（例えば、分散型発電施設）からの熱、紙／パルプ工場における樹皮及びリグニンの燃焼からの熱、焼却炉からの熱、（「ボトミング」ランキンサイクルを駆動するための）従来の蒸気発電所における低圧蒸気からの熱、及び地熱が挙げられる。
【００８１】
本発明のプロセスは、典型的には、有機ランキン動力サイクルにおいて用いられる。蒸気（無機）動力サイクルと比べて比較的低い温度で利用可能な熱を使用して、本明細書に記載する作動流体を使用するランキンサイクルを通じて機械動力を発生させることができる。本発明のプロセスでは、作動流体は、加熱される前に圧縮される。圧縮は、熱源からの熱を用いて作動流体を加熱する伝熱ユニット（例えば、熱交換機又は蒸発機）に作動流体を圧送するポンプによって提供され得る。次いで、加熱された作動流体を膨張させて、その圧力を低下させる。膨張機を用いて作動流体を膨張させている間に機械エネルギーが発生する。膨張機の例としては、ターボ又は動的膨張機（例えば、タービン）、及び容積式膨張機（例えば、スクリュー膨張機、スクロール膨張機及びピストン膨張機）が挙げられる。また、膨張機の例としては、ロータリーベーン膨張機も挙げられる。
【００８２】
機械動力は、直接（例えば、圧縮機を駆動するために）用いてもよく、又は発電機の使用により電力に変換してもよい。作動流体を再利用する動力サイクルでは、膨張した作動流体が冷却される。冷却は、作動流体冷却ユニット（例えば、熱交換機又は凝縮機）において行ってよい。次いで、冷却した作動流体を繰り返しサイクル（すなわち、圧縮、加熱、膨張など）において使用することができる。作動流体を冷却段階から移行させるために、圧縮に使用するのと同じポンプを使用してよい。
【００８３】
冷却機、高温ヒートポンプ及び有機ランキンサイクルシステム用の作動流体として特に有用なのは、ＨＦＣ−１３４及びＨＦＣ−１５２ａを含有する組成物である。一実施形態では、上記の組成物は、約１〜約９９重量％のＨＦＣ−１３４及び約９９〜約１重量％のＨＦＣ−１５２ａを含む。別の実施形態では、上記の組成物は、約１０〜約９０重量％のＨＦＣ−１３４及び約９０〜約１０重量％のＨＦＣ−１５２ａを含む。別の実施形態では、上記の組成物は、約２０〜約８０重量％のＨＦＣ−１３４及び約８０〜約２０重量％のＨＦＣ−１５２ａを含む。別の実施形態では、上記の組成物は、約３０〜約８０重量％のＨＦＣ−１３４及び約７０〜約２０重量％のＨＦＣ−１５２ａを含む。別の実施形態では、上記の組成物は、約５５〜約９９重量％のＨＦＣ−１３４及び約４５〜約１重量％のＨＦＣ−１５２ａを含む。別の実施形態では、上記の組成物は、約５５〜約９２重量％のＨＦＣ−１３４及び約４５〜約８重量％のＨＦＣ−１５２ａを含む。別の実施形態では、上記の組成物は、約８７〜約９９重量％のＨＦＣ−１３４及び約１３〜約１重量％のＨＦＣ−１５２ａ、又は約９０〜約９９重量％のＨＦＣ−１３４及び約１０〜約１重量％のＨＦＣ−１５２ａを含み、これは不燃性であると予測される。別の実施形態では、上記の組成物は、約５５〜約８７重量％のＨＦＣ−１３４及び約４５〜約１３重量％のＨＦＣ−１５２ａ  ｏｒ  約７０〜約９０重量％のＨＦＣ−１３４及び約３０〜約１０重量％のＨＦＣ−１５２ａを含み、これは米国暖房冷凍空調学会（ＡＳＨＲＡＥ）によって２Ｌ可燃性に分類されると予測される。
【００８４】
約６〜４５重量％がＨＦＣ−１５２ａであるＨＦＣ−１３４及びＨＦＣ−１５２ａを含有する組成物は、冷却機の動作について典型的な条件下で、最高容量及びＣＯＰを提供し、勾配（glide）は約０．１５Ｋよりも低く、先端速度は、約１５％以内でＨＦＣ−１３４ａと一致する。驚くべきことに、ＨＦＣ−１５２ａをＨＦＣ−１３４に添加すると、ＣＯＰ及び容量の両方が増大する。通常、ＣＯＰと容量との間にはトレードオフがみられ、一方が減少すると他方は増大し、逆もまた同様である。
【００８５】
ＨＦＣ−１５２ａをＨＦＣ−１３４に添加すると、ＣＯＰ（ＣＯＰｈは、加熱についての性能係数であり、エネルギー効率の尺度である）及び容量（ＣＡＰｈは、作動流体の容積加熱容量である）の観点で性能を改善させる。また、ＧＷＰも低下し、これは、地域／国に特有の規制によって望ましい場合がある。４０重量％のＨＦＣ−１５２ａが存在したとしても、温度勾配は最小値の０．０５／０．０６Ｋである。
【００８６】
驚くべきことに、ＨＦＣ−１５２ａをＨＦＣ−１３４に添加すると、加熱用途においては約４０％のＨＦＣ−１５２ａまで、ＣＯＰ及び容量の両方が増大する。
【００８７】
また、冷却機、高温ヒートポンプ及び有機ランキンサイクルシステム用の作動流体として特に有用なのは、ＨＦＣ−１３４、ＨＦＣ−１５２ａ及びＥ−ＨＦＯ−１２３４ｚｅを含有する組成物である。一実施形態では、上記の組成物は、約１〜約９８重量％のＨＦＣ−１３４、約１〜約９８重量％のＨＦＣ−１５２ａ及び約１〜約９８重量％のＥ−ＨＦＯ−１２３４ｚｅを含む。一実施形態では、上記の組成物は、約１０〜約８０重量％のＨＦＣ−１３４、約１０〜約８０重量％のＨＦＣ−１５２ａ及び約１０〜約８０重量％のＥ−ＨＦＯ−１２３４ｚｅを含む。
【００８８】
特に、冷却機、高温ヒートポンプ及び有機ランキンサイクルシステム用の作動流体として有用な組成物は、不燃性又は少なくともわずか２Ｌの可燃性であることが必要な場合がある。したがって、別の実施形態では、上記の組成物は、約６〜約１３重量％のＨＦＣ−１５２ａ、ＨＦＣ−１３４及びＥ−ＨＦＯ−１２３４ｚｅを含み、重量％に基づいてＨＦＣ−１３４／Ｅ−ＨＦＯ−１２３４ｚｅの重量比は３７／６３であるか又は重量％に基づいてＨＦＣ−１３４／Ｅ−ＨＦＯ−１２３４ｚｅの重量比は４０／６０であり、これは不燃性であると予測される。別の実施形態では、上記の組成物は、約１３〜約４５重量％のＨＦＣ−１５２ａ、ＨＦＣ−１３４及びＥ−ＨＦＯ−１２３４ｚｅを含み、重量％に基づいてＨＦＣ−１３４／Ｅ−ＨＦＯ−１２３４ｚｅの重量比は３７／６３であるか又は重量％に基づいてＨＦＣ−１３４／Ｅ−ＨＦＯ−１２３４ｚｅの重量比は４０／６０であり、これはＡＳＨＲＡＥによって２Ｌ可燃性に分類されると予測される。別の実施形態では、上記の組成物は、約６〜約３０重量％のＨＦＣ−１５２ａ、ＨＦＣ−１３４及びＥ−ＨＦＯ−１２３４ｚｅを含み、重量％に基づいてＨＦＣ−１３４／Ｅ−ＨＦＯ−１２３４ｚｅの重量比は３７／６３であるか又は重量％に基づいてＨＦＣ−１３４／Ｅ−ＨＦＯ−１２３４ｚｅの重量比は４０／６０であり、これはＡＳＨＲＡＥによって２Ｌ可燃性に分類されると予測される。
【００８９】
一実施形態では、冷却機、高温ヒートポンプ及び有機ランキンサイクルシステム用の作動流体として有用な組成物は、約１〜約４０重量％のＨＦＣ−１３４；約１２〜約４０重量％のＨＦＣ−１３４；約１５〜約４０重量％のＨＦＣ−１３４；約２４〜約４０重量％のＨＦＣ−１３４；約２４〜約３７重量％のＨＦＣ−１３４；約２７〜約４０重量％のＨＦＣ−１３４；又は約２７〜約３７重量％のＨＦＣ−１３４を含んでいてよい。
【００９０】
一実施形態では、冷却機、高温ヒートポンプ及び有機ランキンサイクルシステム用の作動流体として有用な組成物は、約１５〜約６３重量％のＥ−１２３４ｚｅ；約１８〜約６３重量％のＥ−１２３４ｚｅ；約１５〜約６０重量％のＥ−１２３４ｚｅ；約１８〜約６０重量％のＥ−１２３４ｚｅ；約３５〜約６３重量％のＥ−１２３４ｚｅ；約３５〜約６０重量％のＥ−１２３４ｚｅ；約４７〜約６３重量％のＥ−１２３４ｚｅ；約４７〜約６０重量％のＥ−１２３４ｚｅ；約５０〜約６３重量％のＥ−１２３４ｚｅ；又は約５０〜約６０重量％のＥ−１２３４ｚｅを含んでいてよい。
【００９１】
一実施形態では、冷却機、高温ヒートポンプ及び有機ランキンサイクルシステム用の作動流体として有用な組成物は、約６〜約４５重量％のＨＦＣ−１５２ａ；約６〜約２５重量％のＨＦＣ−１５２ａ；約６〜約１３重量％のＨＦＣ−１５２ａ；約１３〜約４５重量％のＨＦＣ−１５２ａ；約１３〜約２５重量％のＨＦＣ−１５２ａ；又は約２５〜約４５重量％のＨＦＣ−１５２ａを含んでいてよい。
【００９２】
ＨＦＣ−１３４及びＥ−ＨＦＯ−１２３４ｚｅを含有する組成物にＨＦＣ−１５２ａを添加すると、ＧＷＰがわずかに増大する（組成物中のＥ−１２３４ｚｅをＨＦＣ−１５２ａに代替したとき）だけでなく、加熱についてのＣＯＰ及び加熱容量も改善されると同時に、実際に、蒸発機及び凝縮機の両方で温度勾配が減少する。
【００９３】
更に詳述することなく、当業者は、本明細書の説明を用いて、本発明を最大限に活用し得ると考えられる。したがって、以下の特定の実施形態は、単なる例示であると解釈され、いかなる方法でも本開示の残部を制約するものではない。
【実施例】
【００９４】
（実施例１）
以下の条件下の高温ヒートポンプにおいてＨＦＣ−１３４とＨＦＣ−１５２ａとの混合物の加熱性能を推定する。すなわち、
【００９５】
【表１】
2020176275.tif 000002
【００９６】
【表２】
2020176275.tif 000003
【００９７】
上記結果並びに図１、２及び３のプロットからの外挿に基づいて、ＨＦＣ−１５２ａをＨＦＣ−１３４に添加すると、ＣＯＰ（ＣＯＰｈは、加熱についての性能係数であり、エネルギー効率の尺度である）及び容量（ＣＡＰｈは、作動流体の容積加熱容量である）の観点で性能を改善させる。また、ＧＷＰも低下し、これは、地域／国に特有の規制によって望ましい場合がある。４０重量％のＨＦＣ−１５２ａが存在したとしても、温度勾配は最小値の０．０５／０．０６Ｋである。
【００９８】
驚くべきことに、ＨＦＣ−１５２ａをＨＦＣ−１３４に添加すると、約４０重量％のＨＦＣ−１５２ａまで、ＣＯＰ及び容量の両方が増大する。ＣＯＰと容量との間のトレードオフは、より高濃度のＨＦＣ−１５２ａでは、上記で見られたのと同様に一般的に観察される。
【００９９】
（実施例２）
以下の条件下の高温ヒートポンプにおいてＨＦＣ−１３４、Ｚ−ＨＦＯ−１２３４ｚｅ及びＨＦＣ−１５２ａの混合物の加熱性能を推定する。すなわち、
【０１００】
【表３】
2020176275.tif 000004
【０１０１】
組成物は全て、ＨＦＣ−１３４／Ｅ−ＨＦＯ−１２３４ｚｅの重量比が３７／６３であり、次いで、様々な量のＨＦＣ−１５２ａを混合物に添加する。
【０１０２】
【表４】
2020176275.tif 000005
【０１０３】
ＨＦＣ−１３４及びＥ−ＨＦＯ−１２３４ｚｅを含有する組成物にＨＦＣ−１５２ａを添加すると、ＧＷＰがわずかに増大する（組成物中のＥ−１２３４ｚｅをＨＦＣ−１５２ａに代替したとき）だけでなく、加熱についてのＣＯＰ及び加熱容量も改善されると同時に、実際に、蒸発機及び凝縮機の両方で温度勾配が減少する。
【０１０４】
（実施例３）
地球温暖化係数
ＨＦＣ−１３４の地球温暖化係数（ＧＷＰ）は、本明細書に開示する特定の追加の化合物を添加することによって低下させることができる。表３は、いくつかの特許請求する組成物についてのＧＷＰ低下を示す。
【０１０５】
【表５−１】
2020176275.tif 000006
【０１０６】
【表５−２】
2020176275.tif 000007
【０１０７】
本発明の組成物の多くは、１０００未満のＧＷＰを有するように配合することができる。いくつかの組成物は、５００未満のＧＷＰを有するように配合することができる。
【０１０８】
（実施例４）
冷却機性能
ＨＦＣ−１３４及びＨＦＣ−１５２ａを含有するブレンドの性能を推定し、以下の表４に示す。表中、ＣＯＰｃは、冷却についての性能係数（エネルギー効率の尺度）である。ＣＡＰｃは、容積冷却容量であり、Ｕｔｉｐは、遠心圧縮機のインペラ先端速度である。図４及び５、表４のデータのプロットを参照。
【０１０９】
性能を推定する条件：
【０１１０】
【表６】
2020176275.tif 000008
【０１１１】
【表７】
2020176275.tif 000009
【０１１２】
上記結果及び図２のプロットからの外挿に基づいて、約６〜４５重量％がＨＦＣ−１５２ａであるＨＦＣ−１３４及びＨＦＣ−１５２ａを含有する組成物は、最高容量及びＣＯＰを提供し、勾配は約０．１５Ｋよりも低く、先端速度は、約１５％以内でＨＦＣ−１３４ａと一致する。
【０１１３】
驚くべきことに、ＨＦＣ−１５２ａをＨＦＣ−１３４に添加すると、ＣＯＰ及び容量の両方が増大する。通常、ＣＯＰと容量との間にはトレードオフがみられる。
【０１１４】
（実施例５）
ＨＦＯ−１２３４ｚｅ（Ｅ）／ＨＦＣ−１５２ａ／ＨＦＣ−１３４のブレンドを用いて動作する冷却機
表５は、様々な組成のＨＦＯ−１２３４ｚｅ（Ｅ）／ＨＦＣ−１５２ａ／ＨＦＣ−１３４のブレンドを用いて動作する冷却機の性能をＨＦＣ−１３４ａを用いたときと比較する。測定条件は、以下のとおりである：
【０１１５】
【表８】
2020176275.tif 000010
【０１１６】
【表９】
2020176275.tif 000011
【０１１７】
全てのブレンドが、ＨＦＣ−１３４ａよりも実質的に低いＧＷＰを有する。これらは全て、ＨＦＣ−１３４ａよりも約１．５〜２％超高い、冷却についてのＣＯＰを可能にする。これらは全て、浸水熱交換機にとって有利な、無視できる程度の凝縮機及び蒸発機の温度勾配につながる。最後に、表５のブレンドは、インペラ先端速度が、ＨＦＣ−１３４ａで必要とされるインペラ先端速度に非常に近い（３．７％以内）遠心冷却機の圧縮熱を提供することを必要とする。したがって、ほんのわずかに機器を調整するだけで、ＨＦＣ−１３４ａからより低いＧＷＰを有する流体へと改変し、エネルギー効率を改善することができる。表中のブレンドの少なくとも一部は、不燃性である可能性がある。
【０１１８】
（実施例６）
ＨＦＣ−１５２ａ／ＨＦＣ−１３４のブレンドを用いて動作する有機ランキンサイクル  一般的に入手可能な発電機器は、多くの場合、約３ＭＰａ未満の最高作動圧に限定される。ＨＦＣ−１３４ａを有機ランキンサイクルの作動流体として使用する場合、表６ａに示すとおり、最高許容可能蒸発温度は約８５℃であり、サイクル効率は９．１５％である。ＨＦＣ−１３４ａをブレンドＦに置き換えると、サイクル動作変数を一定に維持しながら、ＧＷＰを実質的に低下させ、サイクル効率を７．１％増大させることができる。
【０１１９】
【表１０】
2020176275.tif 000012
【０１２０】
利用可能な熱源によって９４〜９５℃で蒸発機を動作させることができる場合、ブレンドＡ及びＥによって、表６ｂに示すとおり、最高許容可能作動圧を超えることなく、ＨＦＣ−１３４ａよりもそれぞれ１７．２％及び１６．１％高い効率を実現することができる。利用可能な熱源によって９２．５℃で蒸発機を動作させることができる場合、ブレンドＦによって、同様に表６ｂに示すとおり、最高許容可能作動圧を超えることなく、ＨＦＣ−１３４ａよりも１４％高いサイクル効率を実現することができる。
【０１２１】
【表１１】
2020176275.tif 000013
【０１２２】
（実施例７）
ＨＦＯ−１２３４ｚｅ（Ｅ）／ＨＦＣ−１５２ａ／ＨＦＣ−１３４のブレンドを用いて動作する有機ランキンサイクル
一般的に入手可能な発電機器は、多くの場合、約３ＭＰａ未満の最高作動圧に限定される。ＨＦＣ−１３４ａを有機ランキンサイクルの作動流体として使用する場合、表７に示すとおり、最高許容可能蒸発温度は約８５℃であり、サイクル効率は９．１５％である。
【０１２３】
【表１２】
2020176275.tif 000014
【０１２４】
ＨＦＣ−１３４ａをブレンド４で代替すると、ＧＷＰを実質的に低下させ、サイクル効率を４．５％増大させることができる。更に、利用可能な熱源によって９５℃で蒸発機を動作させることができる場合、ブレンド４によって、最高許容可能作動圧を超えることなく、ＨＦＣ−１３４ａよりも１３．２％高い効率を実現することができる。
【０１２５】
選択された実施形態
実施形態Ａ１：１，１，２，２−テトラフルオロエタンと、１，１−ジフルオロエタン、１，２−ジフルオロエタン、１，１，１−トリフルオロエタン、ジフルオロメタン、オクタフルオロシクロブタン、１，１，１，２，３，４，４，４−オクタフルオロ−２−ブテン、１，１，１，２，３，３，３−ヘプタフルオロプロパン、１，１，３，３，３−ペンタフルオロプロペン、１，１，１，２，２−ペンタフルオロプロパン、１，２，３，３，３−ペンタフルオロプロペン、ペンタフルオロエタン、クロロジフルオロメタン、２−クロロ−１，１，１，２−テトラフルオロエタン、１−クロロ−１，１，２，２−テトラフルオロエタン、塩化メチル、クロロフルオロメタン、１，２−ジクロロ−１，１，２，２−テトラフルオロエタン、１，１−ジクロロ−１，２，２，２−テトラフルオロエタン、１，１−ジフルオロエチレン及び１，１，２−トリフルオロエチレン並びにこれらの組合せから成る群から選択される少なくとも１つの追加の化合物とを含む組成物。
【０１２６】
実施形態Ａ２：１，３，３，３−テトラフルオロプロペン、１，１，２−トリフルオロエタン、１，１，１，２−テトラフルオロエタン、１，１，１，２，２，３，３−ヘプタフルオロプロパン及びフルオロエタンから成る群から選択される少なくとも１つの化合物を更に含む、実施形態Ａ１に記載の組成物。
【０１２７】
実施形態Ａ３：以下から成る群から選択される少なくとも１つの組成物を含む、実施形態Ａ１又はＡ２に記載の組成物：
１，１，２，２−テトラフルオロエタン及び１，１−ジフルオロエタン；
１，１，２，２−テトラフルオロエタン、１，１−ジフルオロエタン及び１，３，３，３−テトラフルオロプロペン；
１，１，２，２−テトラフルオロエタン、１，１−ジフルオロエタン及び１，２，３，３，３−ペンタフルオロプロペン；
１，１，２，２−テトラフルオロエタン、１，１−ジフルオロエタン及び１，１，３，３，３−ペンタフルオロプロペン；
１，１，２，２−テトラフルオロエタン、１，１−ジフルオロエタン及び２−クロロ−１，１，１，２−テトラフルオロエタン；
１，１，２，２−テトラフルオロエタン、１，１−ジフルオロエタン及び１−クロロ−１，１，２，２−テトラフルオロエタン；
１，１，２，２−テトラフルオロエタン、１，１−ジフルオロエタン及びクロロフルオロメタン；
１，１，２，２−テトラフルオロエタン、フルオロエタン及び１，３，３，３−テトラフルオロプロペン；
１，１，２，２−テトラフルオロエタン、フルオロエタン及び１，２，３，３，３−ペンタフルオロプロペン；
１，１，２，２−テトラフルオロエタン、フルオロエタン及び１，１，３，３，３−ペンタフルオロプロペン；
１，１，２，２−テトラフルオロエタン、フルオロエタン及び１−クロロ−１，１，２，２−テトラフルオロエタン；
１，１，２，２−テトラフルオロエタン、フルオロエタン及び２−クロロ−１，１，１，２−テトラフルオロエタン；
１，１，２，２−テトラフルオロエタン、フルオロエタン及びクロロフルオロメタン；  １，１，２，２−テトラフルオロエタン、クロロフルオロメタン及び１，３，３，３−テトラフルオロプロペン；
１，１，２，２−テトラフルオロエタン、クロロフルオロメタン及び１，２，３，３，３−ペンタフルオロプロペン；
１，１，２，２−テトラフルオロエタン、クロロフルオロメタン及び１，１，３，３，３−ペンタフルオロプロペン；
１，１，２，２−テトラフルオロエタン、クロロフルオロメタン及び１−クロロ−１，１，２，２−テトラフルオロエタン；
１，１，２，２−テトラフルオロエタン、クロロフルオロメタン及び２−クロロ−１，１，１，２−テトラフルオロエタン；
１，１，２，２−テトラフルオロエタン、１−クロロ−１，１，２，２−テトラフルオロエタン及び２−クロロ−１，１，１，２−テトラフルオロエタン；
１，１，２，２−テトラフルオロエタン、１−クロロ−１，１，２，２−テトラフルオロエタン及び１，３，３，３−テトラフルオロプロペン；
１，１，２，２−テトラフルオロエタン、１−クロロ−１，１，２，２−テトラフルオロエタン及び１，２，３，３，３−ペンタフルオロプロペン；
１，１，２，２−テトラフルオロエタン、１−クロロ−１，１，２，２−テトラフルオロエタン及び１，１，３，３，３−ペンタフルオロプロペン；
１，１，２，２−テトラフルオロエタン、２−クロロ−１，１，１，２−テトラフルオロエタン及び１，３，３，３−テトラフルオロプロペン；
１，１，２，２−テトラフルオロエタン、２−クロロ−１，１，１，２−テトラフルオロエタン及び１，２，３，３，３−ペンタフルオロプロペン；
１，１，２，２−テトラフルオロエタン、２−クロロ−１，１，１，２−テトラフルオロエタン及び１，１，３，３，３−ペンタフルオロプロペン；
１，１，２，２−テトラフルオロエタン、１，１−ジフルオロエタン、１，１，１，２−テトラフルオロエタン及び１，２，３，３，３−ペンタフルオロプロペン；
１，１，２，２−テトラフルオロエタン、１，１−ジフルオロエタン、１，１，１，２−テトラフルオロエタン及び１，１，３，３，３−ペンタフルオロプロペン；
１，１，２，２−テトラフルオロエタン、１，１−ジフルオロエタン、１，１，３，３，３−ペンタフルオロプロペン及び１，２，３，３，３−ペンタフルオロプロペン；
１，１，２，２−テトラフルオロエタン、１，１，１，２−テトラフルオロエタン、１，１，３，３，３−ペンタフルオロプロペン及び１，２，３，３，３−ペンタフルオロプロペン；並びに
１，１，２，２−テトラフルオロエタン、１，１，１，２−テトラフルオロエタン、１，１−ジフルオロエタン及び１，３，３，３−テトラフルオロプロペン。
【０１２８】
実施形態Ａ４：上記の組成物の総重量に基づいて、約１重量％未満の上記の追加の化合物を含有する、実施形態Ａ１〜Ａ３のいずれかに記載の組成物。
【０１２９】
実施形態Ａ５：約１ｐｐｍ〜約１０００ｐｐｍの少なくとも１つのトレーサー化合物を更に含む、実施形態Ａ１〜Ａ４のいずれかに記載の組成物。
【０１３０】
実施形態Ａ６：ＨＦを更に含む、実施形態Ａ１〜Ａ５のいずれかに記載の組成物。
【０１３１】
実施形態Ａ７：酸を含まない、実施形態Ａ１〜Ａ６のいずれかに記載の組成物。
【０１３２】
実施形態Ａ８：１，３，３，３−テトラフルオロプロペンが、Ｅ−１，３，３，３−テトラフルオロプロペン、Ｚ−１，３，３，３−テトラフルオロプロペン又はこれらの組合せである、実施形態Ａ１〜Ａ７のいずれかに記載の組成物。
【０１３３】
実施形態Ａ９：１，２，３，３，３−ペンタフルオロプロペンが、Ｅ−１，２，３，３，３−ペンタフルオロプロペン、Ｚ−１，２，３，３，３−ペンタフルオロプロペン又はこれらの組合せである、実施形態Ａ１〜Ａ８のいずれかに記載の組成物。
【０１３４】
実施形態Ａ１０：約１〜約９９重量％のＨＦＣ−１３４及び約９９〜約１重量％のＨＦＣ−１５２ａを含む、実施形態Ａ１〜Ａ９のいずれかに記載の組成物。
【０１３５】
実施形態Ａ１１：約１０〜約９０重量％のＨＦＣ−１３４及び約９０〜約１０重量％のＨＦＣ−１５２ａを含む、実施形態Ａ１〜Ａ１０のいずれかに記載の組成物。
【０１３６】
実施形態Ａ１２：約２０〜約８０重量％のＨＦＣ−１３４及び約８０〜約２０重量％のＨＦＣ−１５２ａを含む、実施形態Ａ１〜Ａ１１のいずれかに記載の組成物。
【０１３７】
実施形態Ａ１３：約３０〜約８０重量％のＨＦＣ−１３４及び約７０〜約２０重量％のＨＦＣ−１５２ａを含む、実施形態Ａ１〜Ａ１２のいずれかに記載の組成物。
【０１３８】
実施形態Ａ１４：約５５〜約９９重量％のＨＦＣ−１３４及び約４５〜約１重量％のＨＦＣ−１５２ａを含む、実施形態Ａ１〜Ａ１３のいずれかに記載の組成物。
【０１３９】
実施形態Ａ１５：約５５〜約９２重量％のＨＦＣ−１３４及び約４５〜約８重量％のＨＦＣ−１５２ａを含む、実施形態Ａ１〜Ａ１４のいずれかに記載の組成物。
【０１４０】
実施形態Ａ１６：約８７〜約９９重量％のＨＦＣ−１３４及び約１３〜約１重量％のＨＦＣ−１５２ａを含む、実施形態Ａ１〜Ａ１５のいずれかに記載の組成物。
【０１４１】
実施形態Ａ１７：約９０〜約９９重量％のＨＦＣ−１３４及び約１０〜約１重量％のＨＦＣ−１５２ａを含む、実施形態Ａ１〜Ａ１６のいずれかに記載の組成物。
【０１４２】
実施形態Ａ１８：約５５〜約８７重量％のＨＦＣ−１３４及び約４５〜約１３重量％のＨＦＣ−１５２ａを含む、実施形態Ａ１〜Ａ１７のいずれかに記載の組成物。
【０１４３】
実施形態Ａ１９：約７０〜約９９重量％のＨＦＣ−１３４及び約３０〜約１重量％のＨＦＣ−１５２ａを含む、実施形態Ａ１〜Ａ１８のいずれかに記載の組成物。
【０１４４】
実施形態Ａ２０：約２０〜約７５重量％のＨＦＣ−１３４及び約８０〜約２５重量％のＨＦＣ−１５２ａを含む、実施形態Ａ１〜Ａ１９のいずれかに記載の組成物。
【０１４５】
実施形態Ａ２１：約５０〜約７５重量％のＨＦＣ−１３４及び約５０〜約２５重量％のＨＦＣ−１５２ａを含む、実施形態Ａ１〜Ａ２０のいずれかに記載の組成物。
【０１４６】
実施形態Ａ２２：約２０〜約５０重量％のＨＦＣ−１３４及び約８０〜約５０重量％のＨＦＣ−１５２ａを含む、実施形態Ａ１〜Ａ２１のいずれかに記載の組成物。
【０１４７】
実施形態Ａ２３：約１〜約９８重量％のＨＦＣ−１３４、約１〜約９８重量％のＨＦＣ−１５２ａ、及び約１〜約９８重量％のＥ−ＨＦＯ−１２３４ｚｅを含む、実施形態Ａ１〜Ａ２２のいずれかに記載の組成物。
【０１４８】
実施形態Ａ２４：約１０〜約８０重量％のＨＦＣ−１３４、約１０〜約８０重量％のＨＦＣ−１５２ａ、及び約１０〜約８０重量％のＥ−ＨＦＯ−１２３４ｚｅを含む、実施形態Ａ１〜Ａ２３のいずれかに記載の組成物。
【０１４９】
実施形態Ａ２５：約１〜約４０重量％のＨＦＣ−１３４、約６〜約４５重量％のＨＦＣ−１５２ａ、及び約１５〜約６３重量％のＥ−ＨＦＯ−１２３４ｚｅを含む、実施形態Ａ１〜Ａ２４のいずれかに記載の組成物。
【０１５０】
実施形態Ａ２６：約１２〜約４０重量％のＨＦＣ−１３４、約６〜約２５重量％のＨＦＣ−１５２ａ、及び約１８〜約６３重量％のＥ−ＨＦＯ−１２３４ｚｅを含む、実施形態Ａ１〜Ａ２５のいずれかに記載の組成物。
【０１５１】
実施形態Ａ２７：約１５〜約４０重量％のＨＦＣ−１３４、約６〜約１３重量％のＨＦＣ−１５２ａ、及び約１５〜約６０重量％のＥ−ＨＦＯ−１２３４ｚｅを含む、実施形態Ａ１〜Ａ２６のいずれかに記載の組成物。
【０１５２】
実施形態Ａ２８：約２４〜約４０重量％のＨＦＣ−１３４、約１３〜約４５重量％のＨＦＣ−１５２ａ、及び約１８〜約６０重量％のＥ−ＨＦＯ−１２３４ｚｅを含む、実施形態Ａ１〜Ａ２７のいずれかに記載の組成物。
【０１５３】
実施形態Ａ２９：約２４〜約３７重量％のＨＦＣ−１３４、約１３〜約２５重量％のＨＦＣ−１５２ａ、及び約３５〜約６３重量％のＥ−ＨＦＯ−１２３４ｚｅを含む、実施形態Ａ１〜Ａ２８のいずれかに記載の組成物。
【０１５４】
実施形態Ａ３０：約２７〜約４０重量％のＨＦＣ−１３４、約２５〜約４５重量％のＨＦＣ−１５２ａ、及び約３５〜約６０重量％のＥ−ＨＦＯ−１２３４ｚｅを含む、実施形態Ａ１〜Ａ２９のいずれかに記載の組成物。
【０１５５】
実施形態Ａ３１：約４〜約３３重量％のＨＦＣ−１３４、約１０〜約９０重量％のＨＦＣ−１５２ａ、及び約６〜約５７重量％のＥ−ＨＦＯ−１２３４ｚｅを含む、実施形態Ａ１〜Ａ３０のいずれかに記載の組成物。
【０１５６】
実施形態Ａ３２：約１２〜約４０重量％のＨＦＣ−１３４、約６〜約４５重量％のＨＦＣ−１５２ａ、及び約３５〜約６３重量％のＥ−ＨＦＯ−１２３４ｚｅを含む、実施形態Ａ１〜Ａ３１のいずれかに記載の組成物。
【０１５７】
実施形態Ａ３３：約４０〜約４５重量％のＨＦＣ−１３４、約５〜約１５重量％のＨＦＣ−１５２ａ、及び約４０〜約５５重量％のＥ−ＨＦＯ−１２３４ｚｅを含む、実施形態Ａ１〜Ａ３２のいずれかに記載の組成物。
【０１５８】
実施形態Ａ３４：約４７〜約６３重量％のＥ−ＨＦＯ−１２３４ｚｅを含む、実施形態Ａ１〜Ａ３３のいずれかに記載の組成物。
【０１５９】
実施形態Ａ３５：約４７〜約６０重量％のＥ−ＨＦＯ−１２３４ｚｅを含む、実施形態Ａ１〜Ａ３４のいずれかに記載の組成物。
【０１６０】
実施形態Ａ３６：約５０〜約６３重量％のＥ−ＨＦＯ−１２３４ｚｅを含む、実施形態Ａ１〜Ａ３５のいずれかに記載の組成物。
【０１６１】
実施形態Ａ３７：約５０〜約６０重量％のＥ−ＨＦＯ−１２３４ｚｅを含む、実施形態Ａ１〜Ａ３６のいずれかに記載の組成物。
【０１６２】
実施形態Ｂ１：冷却を生じさせる方法であって、冷却する物体の近傍で実施形態Ａ１〜Ａ３７のいずれかに記載の組成物を蒸発させること、及び、その後に当該組成物を凝縮させることを含む方法。
【０１６３】
実施形態Ｃ１：加熱を生じさせる方法であって、加熱する物体の近傍で実施形態Ａ１〜Ａ３７のいずれかに記載の組成物を凝縮させること、及び、その後に当該組成物を蒸発させることを含む方法。
【０１６４】
実施形態Ｃ２：上記の加熱が、少なくとも５５℃の熱交換機動作温度を含む高温ヒートポンプにおいて生じる、実施形態Ｃ１に記載の加熱を生じさせる方法。
【０１６５】
実施形態Ｃ３：上記の熱交換機が、超臨界作動流体冷却機及び凝縮機から成る群から選択される、実施形態Ｃ１又はＣ２に記載の方法。
【０１６６】
実施形態Ｃ４：上記の熱交換機が、約７１℃よりも高い温度で動作する、実施形態Ｃ１〜Ｃ３のいずれかに記載の方法。
【０１６７】
実施形態Ｃ５：上記の高温ヒートポンプが、遠心圧縮機を更に含む、実施形態Ｃ１〜Ｃ４のいずれかに記載の方法。
【０１６８】
実施形態Ｄ１：高温ヒートポンプにおいて加熱を生じさせる方法であって、カスケード構成で配置された少なくとも２つの段階間で熱が交換され、
第１のカスケード段階において、選択されたより低い温度で第１の作動流体中に熱を吸収することと、この熱を、より高い温度で熱を供給する第２のカスケード段階の第２の作動流体に伝達することとを含み、上記の第１又は第２の作動流体が、実施形態Ａ１〜Ａ３７のいずれかに記載の組成物を含む方法。
【０１６９】
実施形態Ｅ１：高温ヒートポンプ装置における凝縮機の動作温度を上昇させる方法であって、
実施形態Ａ１〜Ａ３７のいずれかに記載の組成物を含む作動流体を高温ヒートポンプに充填することを含む方法。
【０１７０】
実施形態Ｆ１：実施形態Ａ１〜Ａ３７のいずれかに記載の組成物を含む作動流体を収容する、高温ヒートポンプ装置。
【０１７１】
実施形態Ｆ２：上記の高温ヒートポンプが、少なくとも５５℃の温度で動作する熱交換機を含む、実施形態Ｆ１に記載の高温ヒートポンプ装置。
【０１７２】
実施形態Ｆ３：上記の熱交換機が、超臨界作動流体冷却機及び凝縮機から成る群から選択される、実施形態Ｆ１又はＦ２に記載の方法。
【０１７３】
実施形態Ｆ４：上記の熱交換機が、約７１℃よりも高い温度で動作する、実施形態Ｆ１〜Ｆ３のいずれかに記載の方法。
【０１７４】
実施形態Ｇ１：高温ヒートポンプにおける作動流体としての、実施形態Ａ１〜Ａ３７のいずれかに記載の組成物である冷媒の使用。
【０１７５】
実施形態Ｇ２：上記の高温ヒートポンプが、少なくとも５５℃の温度で動作する熱交換機を含む、実施形態Ｇ１に記載の使用。
【０１７６】
実施形態Ｇ３：上記の熱交換機が、超臨界作動流体冷却機及び凝縮機から成る群から選択される、実施形態Ｇ１又はＧ２に記載の使用。
【０１７７】
実施形態Ｇ４：上記の熱交換機が、約７１℃よりも高い温度で動作する、実施形態Ｇ１〜Ｇ３のいずれかに記載の使用。
【０１７８】
実施形態Ｈ１：高温ヒートポンプにおけるＨＦＣ−１３４ａを代替する方法であって、当該高温ヒートポンプに実施形態Ａ１〜Ａ３７のいずれかに記載の組成物を充填することを含み、当該高温ヒートポンプが、遠心圧縮機を含む方法。
【０１７９】
実施形態Ｈ２：上記の高温ヒートポンプが、少なくとも５５℃の温度で動作する熱交換機を更に含む、実施形態Ｈ１に記載の方法。
【０１８０】
実施形態Ｈ３：上記の熱交換機が、超臨界作動流体冷却機及び凝縮機から成る群から選択される、実施形態Ｈ１又はＨ２に記載の方法。
【０１８１】
実施形態Ｈ４：上記の熱交換機が、約７１℃よりも高い温度で動作する、実施形態Ｈ１〜Ｈ３のいずれかに記載の方法。
【０１８２】
実施形態Ｉ１：熱を機械エネルギーに変換するプロセスであって、実施形態Ａ１〜Ａ３７のいずれかに記載の組成物を含む作動流体を加熱すること、及び、その後に加熱された作動流体を膨張させることを含む、プロセス。
【図１】
2020176275.tif 000015
【図２】
2020176275.tif 000016
【図３】
2020176275.tif 000017
【図４】
2020176275.tif 000018
【図５】
2020176275.tif 000019
【外国語明細書】
2020176275000001.pdf